(57)【要約】      （修正有）【課題】視覚障害者や高齢者が外出時に困った場合、周囲の人々に杖に内蔵されている音声を使って知らせることができるために、協力を求める手段となり、また暗くなった時には杖本体が光ることによって周囲からの目印となり、危険防止の役割を持つ杖を提供する。【解決手段】上枠４と下枠５を密着させ、上枠と下枠に挟着されたスピーカ蓋７と上枠と下枠の上部にキャップ８を嵌合し、背面に２つのスイッチボタンとＡＣアダプターを取り付けてなるグリップ部２と先端に蓄光材を配合した樹脂カバーを取り付けた杖部３からなり、前記グリップ部内部に電池を動力源とした音声発生回路、ＬＥＤ点滅回路及びＥ．Ｌ点滅回路を組み込むことで、緊急時に警報音及び音声を発し、警報ランプを点滅させると共に、杖本体を必要に応じてスイッチ一つで発光させることを可能とし、常時杖本体先端部が発光する視覚障害者用杖の構造とした。【選択図】図１
2005052626.tif 000002
【特許請求の範囲】
【請求項１】
上枠と下枠を密着させ、上枠と下枠に狭着されたスピーカ蓋と上枠と下枠の上部にキャップを嵌合し、背面に２つのスイッチボタンとＡＣアダプターを取り付けてなるグリップ部と、先端に蓄光材を配合した樹脂カバーを取り付けた杖部からなり、前記グリップ部内部に電池を動力源とした音声発生回路、ＬＥＤ点滅回路及びＥ．Ｌ点滅回路を組み込むことで、緊急時に警報音及び音声を発し、警報ランプを点滅させるとともに、杖本体を必要に応じてスイッチ一つで発光させることを可能とし、常時杖本体先端部が発光する視覚障害者用杖の構造。
【請求項２】
杖部の前部にコードで接続された複数枚のＥＬテープを貼付したことを特徴とする請求項１に記載の視覚障害者用杖。
【請求項３】
杖部の杖本体を２つ以上の構成部材に分け、内部にゴム紐を通すことで、前記構成部材を分解して折り畳んだり、前記構成部材を接続して１本に固定できることを特徴とする請求項１又は請求項２に記載の視覚障害者用杖。
【請求項４】
肘掛け前部にスピーカー及びＬＥＤを取り付け、フレーム前部にＥＬテープを貼り付け、電池を動力源とした音声発生回路、ＬＥＤ点滅回路及びＥ．Ｌ点滅回路を組み込むことで、緊急時に警報音及び音声を発し、警報ランプを点滅させるとともに、本体をスイッチ一つで発光させることを可能とした車椅子の構造。
【発明の詳細な説明】
【技術分野】
【０００１】
本発明は、視覚障害者や高齢者が歩行中の安全を図るため、周囲に音声と点滅ライトで手助けを促すことができると共に、夜間時においては本体が光ることにより危険を回避できる杖の開発に関する発明である。
【背景技術】
【０００２】
従来、視覚障害者が使用する杖は、色は白色と決められており、杖そのものの長さや重さ等は改良を重ねられ、非常に軽量で持ちやすい杖等が開発されている一方、高齢者の使用する杖は色、形状、重さ等様々な杖が広く利用されている。
【０００３】
しかしながら、視覚障害者や高齢者が夜間などに外出をする場合には、周囲の歩行者や自動車からは杖が見にくく、白色の杖を使用している視覚障害者や高齢者であるとの認識がされにくいこともあり、視覚障害者や高齢者の夜間の外出は危険を伴っている。
【０００４】
また、夜間に限らず、わが国においてはバリアフリー化が遅れている面が多々あり、点字ブロック等の設置されていない場所や段差等の歩きにくい場所も多く、障害者や高齢者にとっては不自由さを感じる場面が多くある他、障害者や高齢者に対する周囲の人間の配慮が足りない場面も多く見受けられる。
【発明の開示】
【発明が解決しようとする課題】
【０００５】
本発明は、視覚障害者や高齢者が外出時に困った場合、周囲の人々に杖に内蔵されている音声を使って知らせることができるために、協力を求める手段となり、また暗くなった時には杖本体が光ることによって周囲からの目印となり、危険防止の役割を持つ杖を提供することを目的とするものである。
【課題を解決するための手段】
【０００６】
本発明は、上記の課題を解決するために、従来の杖の構造である長さ１ｍ、重さ約２３０ｇとほぼ同等の大きさで、ワンタッチによって音声出力と点滅ライトを同時に作動させるものとし、特に音声については騒音の中でも周囲に聞こえるような出力装置とし、杖本体は自らスイッチを入れることで白い杖の部分が光るものとし、さらにＩＣやスピーカー等によって重量が重くならないことを特徴とする杖の構成とした。
【発明の効果】
【０００７】
本発明の視覚障害者用杖は、夜間に杖本体が発光することで、周囲の歩行者や自動車に杖を使用していることが明確になり、注意を喚起することができるため、危険を回避できる。
【０００８】
また、緊急時には警報音や助けを求める音声を発し、警報ランプが点滅することで、周囲の歩行者等にも緊急時であることが知らせられるために、早急な処置を取ることができる。
【０００９】
更に、危険回避や緊急であることを知らせることができるので、視覚障害者や高齢者が使用して安心感を得られると共に、視覚障害者や高齢者への理解を深めることができる一つの用具であり、視覚障害者や高齢者が生き甲斐と潤いのある生活を送るため、容易に社会参加に望めることができる一つの材料となることを期待する。
【発明を実施するための最良の形態】
【００１０】
電池を動力源とする音声発生回路、ＬＥＤ点滅回路及びＥ．Ｌ点滅回路をグリップ部に組み込みながらも、軽量な素材を使用することで従来の杖の構造である長さ１ｍ、重さ約２３０ｇの構造とほぼ同様の大きさを損なわずに実現した。
【実施例１】
【００１１】
以下に、添付図面に基づき、本発明である視覚障害者用杖を詳細に説明する。図１は本発明である視覚障害者用杖の全体を示し、図２及び図３にグリップ部を示し、図４から図７にグリップ部を構成する各構成部材を示す。
【００１２】
図１は、本発明である視覚障害者用杖の全体を示す斜視図である。図１に示すように、本発明である視覚障害者用杖１は、グリップ部２と杖部３とから構成されている。
【００１３】
本発明である視覚障害者用杖１を構成する杖部３は、杖本体３ａの先端にカバー３ｂが取り付けられている。前記杖本体３ａは、カーボン又はアルミ合金等の軽量な材質により作られており、使用する者に合わせた長さに調節するために、先端を切断することが可能である。
【００１４】
また、杖本体３ａの先端には、脱着可能なカバー３ｂが取り付けられている。そのため、カバー３ｂを取り外して、長さを調節するために先端を切断し、切断した先端に再度カバー３ｂを取り付けることができる。前記カバー３ｂは、プラスチックを素材として作られ、材料は蓄光材が配合された樹脂であるために、暗いところで使用してもカバー３ｂが発光する。
【００１５】
図２は本発明である視覚障害者用杖のグリップ部を示す正面斜視図、図３は本発明である視覚障害者用杖のグリップ部を示す背面斜視図である。図２及び図３に示すように、本発明である視覚障害者用杖１を構成するグリップ部２は、接合部６で接合した上枠４及び下枠５、上枠４と下枠５に挟着されたスピーカー蓋７、上枠４と下枠５の上端に嵌合されたキャップ８により構成されている。
【００１６】
図３に示すように、グリップ部２の背面側には、スイッチボタン９、９ａ及びＡＣアダプター１０が設けられている。前記スイッチボタン９は、緊急時に音声出力及び点滅ライトを作動させるためのスイッチであり、スイッチボタン９ａは、杖本体３ａを発光させるためのスイッチである。
【００１７】
図４は本発明である視覚障害者用杖のグリップ部の上枠を示す斜視図、図５は本発明である視覚障害者用杖のグリップ部の下枠をそれぞれ示す斜視図である。本発明である視覚障害者用杖のグリップ部２は、接合部６を中心にして上枠４と下枠５が接合されている。  
【００１８】
図４に示すように、上枠は中空の円柱を縦半分に切断した上側の形状の枠体４ａの内部が第１スペース４ｅ、第２スペース４ｆ、第３スペース４ｇに分けられており、枠体４ａの表面は、第１スペース４ｅ及び第２スペース４ｆの外側に当たる部分は第１スペースと第２スペースの中間地点に向かって盛り上がった形状となっており、第３スペースの外側に当たる部分は均一の太さに形成されている。
【００１９】
第１スペース４ｅの上部には、キャップ８を嵌合するためのキャップ嵌合部４ｄが形成され、前記キャップ嵌合部４ｄの下部にはスピーカー蓋７を嵌め込むためのスピーカー溝４ｃが形成されている。
【００２０】
第２スペース４ｆと第３スペース４ｇの境界部分には突出片４ｈが形成されている。グリップ部２と杖部３を接合させる際には、前記突出片４ｈに杖本体３ａの上部を当て、下端４ｉから杖本体３ａが下に向かって突出するように第３スペース４ｇに嵌め込むようにするため、前記突出片４ｈが杖本体３ａを押さえるためのストッパーの役目を果たす。
【００２１】
上枠４の枠体４ａの密着面４ｂは、平坦に形成されており、グリップ部２を構成する下枠５の密着面５ｂと密着させることで、グリップ部２を形成する。
【００２２】
図５に示すように、下枠５は中空の円柱を縦半分に切断した下側の形状の枠体５ａの内部が第１スペース５ｅ、第２スペース５ｆ、第３スペース５ｇに分けられており、枠体５ａの表面の外周は、第１スペース５ｅの外側に当たる部分が下端から上端にかけて広くなっており、第２スペース５ｆ及び第３スペース５ｇの外側に当たる部分は均一の太さに形成されている。
【００２３】
第１スペース５ｅの上部には、キャップ８を嵌合するためのキャップ嵌合部５ｄが形成され、前記キャップ嵌合部５ｄの下部にはスピーカー蓋７を嵌め込むためのスピーカー溝５ｃが形成されている。
【００２４】
第２スペース５ｆと第３スペース５ｇの境界部分には突出片５ｈが形成されている。グリップ部２を杖部３と接合させる際には、前記突出片５ｈに杖本体３ａの上部を当て、下端５ｉから杖本体３ａが下に向かって突出するように第３スペース５ｇに嵌め込むようにするため、前記突出片５ｈが杖本体３ａを押さえるためのストッパーの役目を果たす。
【００２５】
下枠５の枠体５ａの密着面５ｂは、平坦に形成されており、グリップ部２を構成する上枠４の密着面４ｂと密着させることで、中空の円柱を形成する。上枠４と下枠５を密着面４ｂ、５ｂで密着させると、上枠４内部の第１スペース４ｅと下枠５内部の第１スペース、上枠４内部の第２スペース４ｆと下枠５内部の第２スペース５ｆ、上枠４内部の第３スペース４ｇと下枠５内部の第３スペース５ｇは、それぞれ面一となる。また、杖本体３ａのストッパーの役目となる突出片４ｈ、５ｈも面一でグリップ部２内部の内周面に沿った円状の突出片を形成する。
【００２６】
また、下枠５の枠体５ａの外周面の上部中央には、ストラップ取付部材１１が設けられている。前記ストラップ取付部材１１には、紐等のストラップを取り付け、本発明である視覚障害者用杖１を使用する際に、ストラップ取付部材１１に取り付けたストラップに手を通し、手首に巻き付け使用する。このようにストラップを取り付けることで、使用者が誤って視覚障害者用杖１を落としてしまうなどの危険を防止する。
【００２７】
図６は、本発明である視覚障害者用杖のグリップ部に取り付けられたスピーカー蓋を示す斜視図である。図６に示すように、スピーカー蓋７は、平坦面７ａには微小な小孔７ｃが複数設けられており、緊急時に警報音や音声が発せられる。
【００２８】
スピーカー蓋７は、上枠４と下枠５を密着面４ｂ、５ｂで密着させてグリップ部２を形成する際に、上枠４に形成されたスピーカー溝４ｃと下枠５に形成されたスピーカー溝５ｃに嵌め込むことで、上枠４と下枠５に挟み込まれる形で取り付けられる。スピーカー蓋７の外周面７ｂは、スピーカー溝４ｃ、５ｃが面一となり形成する円形の溝の内周に密着する。
【００２９】
図７は、本発明である視覚障害者用杖のグリップ部上部に取り付けられたキャップを示す斜視図である。図７に示すように、キャップ８は上部が丸みを帯びた頂部８ａを持つお椀型で、外周面８ｂはグリップ部２の表面と面一になるよう、その外周は上部から下部に向かってやや広くなっている。外周面８ｂの下端には段差８ｃが形成され、グリップ部２に嵌合するための嵌合部８ｅが設けられている。尚、符号８ｆは内周面を示している。
【００３０】
キャップ８は、上枠４と下枠５からなるグリップ部２の上部に、上枠４に形成されたキャップ嵌合部４ｄ及び下枠５に形成されたキャップ嵌合部５ｄに嵌合される。即ち、上枠４及び下枠５が密着面４ｂ、５ｂで密着することで、形成された中空の円柱の上部に、キャップ８の下端８ｄを入れ、キャップ嵌合部４ｄ、５ｄに嵌合部８ｅを嵌合させる。
【００３１】
グリップ部２の内部には上枠４に形成された第１スペース４ｅ及び下枠５に形成された第１スペース５が面一となり、円柱状のスペースを形成している。前記スペースには、音声発生回路１２ａ及びＬＥＤ点滅回路１２ｂが組み込まれており、緊急時にはＬＥＤ７ｄが点滅する。
【００３２】
前記ＬＥＤ７ｄをカバーするために取り付けられるのが図７に示したキャップ８である。即ち、緊急時には、キャップ８を通して内部に取り付けられたＬＥＤ７ｄが点滅するため、周囲に緊急であることを知らせる警報ランプが、本発明である視覚障害者用杖１の上部で点滅するのである。
【００３３】
図８は、本発明である視覚障害者用杖に用いられる回路図である。回路図１２に示すように、グリップ部２の背面に設けられたスイッチボタン９は、緊急時の警報音及び音声を操作する音声発生回路１２ａ及びＬＥＤ７ｄの点滅を操作するＬＥＤ点滅回路１２ｂを作動させるためのスイッチである。即ち、緊急時にはスイッチボタン９を押すことで、ワンタッチで警報音及び「お助け下さい」「お手伝い下さい」等の音声と、警報ランプを作動させることができる。
【００３４】
また、グリップ部２の背面に設けられたスイッチボタン９ａは、杖本体３ａを発光させるためのＥ．Ｌ点滅回路を操作するためのスイッチである。
【００３５】
音声発生回路１２ａ、ＬＥＤ点滅回路１２ｂ、Ｅ．Ｌ点滅回路１２ｃのいずれもグリップ部２内部に取り付けられた充電式の電池１２ｄを動力源としている。
【実施例２】
【００３６】
図９及び図１０は、本発明である視覚障害者用杖の第２実施例を示した図である。図９は本発明である視覚障害者用杖の第２実施例の全体を示す斜視図、図１０は本発明である視覚障害者用杖の第２実施例の杖前部の一部拡大斜視図である。
【００３７】
図９に示すように、本第２実施例の視覚障害者用杖１ａは、先に示した視覚障害者用杖１と同様の構造であるが、杖部３の杖本体３ａ前部の表面に複数枚のＥＬテープ３ｃ、３ｃ、３ｃ・・・が貼付されている。
【００３８】
図１０の一部拡大斜視図に示したように、本第２実施例の視覚障害者用杖１ａの杖本体３ａ前部の表面に貼付された複数枚のＥＬテープ３ｃ、３ｃ、３ｃ・・・は、各々コード３ｄにより接続されている。
【００３９】
前記ＥＬテープ３ｃ、３ｃ、３ｃ・・・を接続するコード３ｄは、杖本体３ａを発光させる回路であるＥ．Ｌ回路１２ｃに接続されており、グリップ部２の背面に設けられたスイッチボタン９ａを押すと、杖本体３ａと共に複数枚のＥＬテープ３ｃが同時に発光するため、視覚障害者用杖１ａの存在がより明瞭になる。
【実施例３】
【００４０】
図８に示した本発明である視覚障害者用杖に用いられる回路図１２の構造は、図１に示した視覚障害者用杖１及び図９に示した視覚障害者用杖１ａのみでなく、車椅子等にも使用することができる。
【００４１】
車椅子の枠体部分にスピーカー１５やＬＥＤ１５ａを取り付け、車椅子の使用者の手元にあたる部分にスイッチボタンを設け、図８に示した回路図１２の回路を接続することで、緊急時には警報音及び「助けて下さい」等の音声を発し、警報ランプを点滅させると共に、スイッチ一つで車椅子自体を発光させることを可能とした車椅子を提供することができる。
【００４２】
図１１は、本発明である視覚障害者用杖のスピーカーやＥＬテープを取り付けた車椅子の側面図である。車椅子１３には、フレーム１７の正面側にスピーカー１５及び複数のＥＬテープ１６を取り付け、肘掛け１７ａの前部で使用者の手元辺りにスイッチボタン１４、１４ａを設ける。
【００４３】
スイッチボタン１４とスピーカー１５、スイッチボタン１４ａとＥＬテープ１６はそれぞれ回路として接続されており、充電式の電池などを動力源としている。スイッチボタン１４、１４ａを押すことで回路に電流が流れ、スピーカー１５、ＥＬテープ１６が動作する。
【００４４】
スイッチボタン１４を押すとスピーカー１５から音声が発せられ、周囲に車椅子１３の存在を知らせることができる。また、緊急時には周囲に呼び掛けのメッセージを出して、助けを求めたりすることもできる。
【００４５】
スイッチボタン１４ａを押すとＥＬテープ１６が発光し、暗い場所にいても周囲に車椅子１３の存在を知らせることができる。また、車椅子１３が暗い場所を移動する際に、明かりを照らすことができる。
【実施例４】
【００４６】
図１２は、本発明である視覚障害者用杖の杖本体をいくつかの構成部材に分けた場合を示す図である。視覚障害者用杖１ｂの杖部３の杖本体３ａを２つ以上、好ましくは５つに分割する。分割数は、２、３、４と少なくても良いし、６、７、８、９、１０と多くしても良い。
【００４７】
カバー３ｂの付いた側が第１構成部材３ｅ、次が第２構成部材３ｅ、次が第３構成部材３ｅ、次が第４構成部材３ｅ、接合部６と接続している側が第５構成部材３ｅとし、接合部６と第５構成部材３ｅも分離して折り畳むことができる構造とすることもできる。各構成部材３ｅ、３ｅ、３ｅ、・・・は、節３ｆ、３ｆ、３ｆ、・・・において分離することができる。
【００４８】
各構成部材３ｅ、３ｅ、３ｅ、・・・は、中空の筒状になっていて、中に１本のゴム紐３ｈを通すことで、各構成部材３ｅ、３ｅ、３ｅ、・・・を分離してもバラバラにならないように繋いでいる。
【００４９】
各構成部材３ｅ、３ｅ、３ｅ、・・・は嵌め込み式になっており、節３ｆ、３ｆ、３ｆ、・・・の先の嵌入部３ｇ、３ｇ、３ｇ、・・・を、前の構成部材３ｅ、３ｅ、３ｅ、・・・の後部へ嵌め込むことで接続することができる。
【００５０】
また、各構成部材３ｅ、３ｅ、３ｅ、・・・の内部にはゴム紐３ｈが通っているので、各構成部材３ｅ、３ｅ、３ｅ、・・・が分離していたとしても、引き寄せて繋げようとする力が働いている。
【００５１】
各構成部材３ｅ、３ｅ、３ｅ、・・・を接続して使用している場合でも、ゴム紐３ｈにより引っ張られているので、節３ｆ、３ｆ、３ｆ、・・・の所で外れてしまうことはなく、嵌入部３ｇ、３ｇ、３ｇ、・・・がしっかり嵌め込まれているので、視覚障害者用杖１程ではないが、強度も十分にある。
【００５２】
図１３は、本発明である視覚障害者用杖の構成部材をゴム紐を伸ばして分解した場合を示す図である。視覚障害者用杖１ｂの杖部３の杖本体３ａを各構成部材３ｅ、３ｅ、３ｅ、・・・に分離した状態である。
【００５３】
各構成部材３ｅ、３ｅ、３ｅ、・・・は、嵌入部３ｇ、３ｇ、３ｇ、・・・が嵌め込まれ、ゴム紐３ｈが各構成部材３ｅ、３ｅ、３ｅ、・・・を引き寄せることで接続されているが、ゴム紐３ｈを伸ばすように引っ張り、嵌入部３ｇ、３ｇ、３ｇ、・・・の嵌込みを外すことで分離することができる。
【００５４】
構成部材３ｅ、３ｅ、３ｅ、・・・は、節３ｆ、３ｆ、３ｆ、・・・から嵌入部３ｇ、３ｇ、３ｇ、・・・を外すことができる。嵌入部３ｇ、３ｇ、３ｇ、・・・は、節３ｆ、３ｆ、３ｆ、・・・の先にあり、構成部材３ｅ、３ｅ、３ｅ、・・・により細くなっていて、構成部材３ｅ、３ｅ、３ｅ、・・・の後部に差し込むことができる。
【００５５】
嵌入部３ｇ、３ｇ、３ｇ、・・・を構成部材３ｅ、３ｅ、３ｅ、・・・の後部に差し込んだときは、節３ｆ、３ｆ、３ｆ、・・・のところで止まる。接続箇所は他の場所に比べて強度が弱くなるので、嵌入部３ｇ、３ｇ、３ｇ、・・・は強度が強い材質で、隙間無くしっかりと嵌め込める必要がある。
【００５６】
図１４は、本発明である視覚障害者用杖の構成部材を分解して折り曲げる状況を示す図である。嵌入部３ｇ、３ｇ、３ｇ、・・・を外すと、ゴム紐３ｈ、３ｈ、３ｈ、・・・が出ている部分において自由に折り曲げたりすることができる。
【００５７】
ゴム紐３ｈは、接合部６と接続している構成部材３ｅと、カバー３ｂが先端に付いている構成部材３ｅにおいて、両端が固定されており、その間の構成部材３ｅ、３ｅ、３ｅ、・・・については、内部を貫通している。
【００５８】
ゴム紐３ｈは、筒状の杖本体３ａの内部を通っているが、構成部材３ｅ、３ｅ、３ｅ、・・・に分解することで、接続箇所において露出する。構成部材３ｅ、３ｅ、３ｅ、・・・は向きを変えたりすることが出来るようになるが、１本のゴム紐３ｈに通されているので、順序が変わったりすることはない。
【００５９】
杖本体３ａの内部には、ゴム紐３ｈ以外にコード３ｉも通されている。コード３ｉは、実施例２においてＥＬテープ３ｃを貼り付けた際に、ＥＬテープ３ｃを発光させるための配線であり、電池１２ｄと接続され、回路を構成している。
【００６０】
図１５は、本発明である視覚障害者用杖の構成部材を折り畳んで収納した状態を示す図である。ゴム紐３ｈ、３ｈ、３ｈ、・・・を折り曲げて構成部材３ｅ、３ｅ、３ｅ、・・・を束ねると小さくまとめることができる。
【００６１】
視覚障害者用杖１ｂを使用せずにしまっておく場合など、長いままだと収納場所に困ったりするので、折り畳んで小さく出来れば場所を取らずに済む。構成部材３ｅ、３ｅ、３ｅ、・・・を折り畳んだら、紐などで押さえておけば勝手に元に戻ることはない。
【００６２】
押さえる力を弱めれば、ゴム紐３ｈにより一直線になろうとする力が働くので、嵌入部３ｇ、３ｇ、３ｇ、・・・をしっかりと接続すれば、杖として視覚障害者用杖１ｂを使用することができるようになる。
【００６３】
図１６は、本発明である視覚障害者用杖の杖本体をいくつかの構成部材に分けて、ＥＬテープを取り付けた場合を示す図である。視覚障害者用杖１ｃは、図１２における視覚障害者用杖１ｂの杖本体３ａをいくつかの構成部材３ｅに分けたものに、ＥＬテープ３ｃを取り付けて、杖本体３ａが発光するようにしている。
【００６４】
ＥＬテープ３ｃとは、高誘電率バインダー中に分散した蛍光体に、交流電圧をかけることにより発光する面発光部材であり、裏面はシール状になっていて貼り付けることができる。厚さは薄いので、曲げたりすることも可能である。
【００６５】
杖本体３ａの内部には、ゴム紐３ｈと共にコード３ｉが通されており、ＥＬテープ３ｃと電池１２ｄを繋ぐ回路を構成している。ＥＬテープ３ｃは、コード３ｉを通して電池１２ｄから電気を供給され、発光する。
【００６６】
ＥＬテープ３ｃは、構成部材３ｅの一つについて２枚取り付ける。取り付ける枚数は可変であり、図１６では、接合部６側にある構成部材３ｅの前面にのみ取り付けているが、裏面やそれ以外の構成部材３ｅに取り付けることも可能である。また、杖部３だけでなく、グリップ部２の方に付けても構わない。
【００６７】
ＥＬテープ３ｃが発光することで、暗い場所を移動する際の明かりとして使用したり、他の人に存在を知らせたりすることができる。また、緊急時に助けを求める際の信号として利用することもできる。
【００６８】
図１７は、本発明である視覚障害者用杖の杖本体をいくつかの構成部材に分けて、ＥＬテープを巻き付けた場合を示す図である。視覚障害者用杖１ｄは、図１２における視覚障害者用杖１ｂの杖本体３ａをいくつかの構成部材３ｅに分けたものに、ＥＬテープ３ｊを巻き付けて、杖本体３ａが発光するようにしている。
【００６９】
電気の供給については図１６と同様であるが、図１６ではＥＬテープ３ｃが前方にしか付いていないのに対し、図１７では、ＥＬテープ３ｊを杖本体３ａに巻き付けることで、横又は後方にも発光することができる。
【００７０】
ＥＬテープ３ｊを巻き付ける枚数は、構成部材３ｅの長さやＥＬテープ３ｊの幅等を考慮して適当な枚数にすることができる。図１７では、接合部６側にある構成部材３ｅに３枚巻き付けている。
【００７１】
図１６の場合と同様、ＥＬテープ３ｊが発光することで、暗い場所を移動する際の明かりとして使用したり、他の人に存在を知らせたり、また、緊急時に助けを求める際の信号として利用することができる。
【００７２】
視覚障害者用杖１ｃ及び視覚障害者用杖１ｄのＥＬテープ３ｃ、３ｊの電源は電池１２ｄであるが、電池切れの場合を想定して、太陽電池などを利用することも考えられる。電池１２ｄと太陽電池を併用しても良く、緊急時に電池切れという事態を防ぐことは安全面において重要である。
【図面の簡単な説明】
【００７３】
【図１】本発明である視覚障害者用杖の全体を示す斜視図である。
【図２】本発明である視覚障害者用杖のグリップ部を示す正面斜視図である。
【図３】本発明である視覚障害者用杖のグリップ部を示す背面斜視図である。
【図４】本発明である視覚障害者用杖のグリップ部の上枠を示す斜視図である。
【図５】本発明である視覚障害者用杖のグリップ部の下枠を示す斜視図である。
【図６】本発明である視覚障害者用杖のグリップ部に取り付けられたスピーカー蓋を示す斜視図である。
【図７】本発明である視覚障害者用杖のグリップ部上部に取り付けられたキャップを示す斜視図である。
【図８】本発明である視覚障害者用杖に用いられる回路図である。
【図９】本発明である視覚障害者用杖の第２実施例の全体を示す斜視図である。
【図１０】本発明である視覚障害者用杖の第２実施例の杖前部の一部拡大斜視図である。
【図１１】本発明である視覚障害者用杖のスピーカーやＥＬテープを取り付けた車椅子の側面図である。
【図１２】本発明である視覚障害者用杖の杖本体をいくつかの構成部材に分けた場合を示す図である。
【図１３】本発明である視覚障害者用杖の構成部材をゴム紐を伸ばして分解した場合を示す図である。
【図１４】本発明である視覚障害者用杖の構成部材を分解して折り曲げる状況を示す図である。
【図１５】本発明である視覚障害者用杖の構成部材を折り畳んで収納した状態を示す図である。
【図１６】本発明である視覚障害者用杖の杖本体をいくつかの構成部材に分けて、ＥＬテープを取り付けた場合を示す図である。
【図１７】本発明である視覚障害者用杖の杖本体をいくつかの構成部材に分けて、ＥＬテープを巻き付けた場合を示す図である。
【符号の説明】
【００７４】
１          視覚障害者用杖
１ａ        視覚障害者用杖
１ｂ        視覚障害者用杖
１ｃ        視覚障害者用杖
１ｄ        視覚障害者用杖
２          グリップ部
３          杖部
３ａ        杖本体
３ｂ        カバー
３ｃ        ＥＬテープ
３ｄ        コード
３ｅ        構成部材
３ｆ        節
３ｇ        嵌入部
３ｈ        ゴム紐
３ｉ        コード
３ｊ        ＥＬテープ
４          上枠
４ａ        枠体
４ｂ        密着面
４ｃ        スピーカー溝
４ｄ        キャップ嵌合部
４ｅ        第１スペース
４ｆ        第２スペース
４ｇ        第３スペース
４ｈ        突出片
４ｉ        下端
５          下枠
５ａ        枠体
５ｂ        密着面
５ｃ        スピーカー溝
５ｄ        キャップ嵌合部
５ｅ        第１スペース
５ｆ        第２スペース
５ｇ        第３スペース
５ｈ        突出片
５ｉ        下端
６          接合部
７          スピーカー蓋
７ａ        平坦面
７ｂ        外周面
７ｃ        小孔
７ｄ        ＬＥＤ
８          キャップ
８ａ        頂部
８ｂ        外周面
８ｃ        段差
８ｄ        下端
８ｅ        嵌合部
８ｆ        内周面
９、９ａ    スイッチボタン
１０          ＡＣアダプター
１１          ストラップ取付部材
１２          回路図
１２ａ        音声発生回路
１２ｂ        ＬＥＤ点滅回路
１２ｃ        Ｅ．Ｌ点滅回路
１２ｄ        電池
１３          車椅子
１４、１４ａ  スイッチボタン
１５          スピーカー
１５ａ        ＬＥＤ
１６          ＥＬテープ
１７          フレーム
１７ａ        肘掛け
【図１】
2005052626.tif 000003
【図２】
2005052626.tif 000004
【図３】
2005052626.tif 000005
【図４】
2005052626.tif 000006
【図５】
2005052626.tif 000007
【図６】
2005052626.tif 000008
【図７】
2005052626.tif 000009
【図８】
2005052626.tif 000010
【図９】
2005052626.tif 000011
【図１０】
2005052626.tif 000012
【図１１】
2005052626.tif 000013
【図１２】
2005052626.tif 000014
【図１３】
2005052626.tif 000015
【図１４】
2005052626.tif 000016
【図１５】
2005052626.tif 000017
【図１６】
2005052626.tif 000018
【図１７】
2005052626.tif 000019